(57)【要約】【課題】伸縮性を有するサイド防漏部と伸縮性の領域及び非伸縮性の領域を有するウイング部とを備えた吸収性物品において、ウイング部における伸縮性の領域及び非伸縮性の領域の物性や位置等の自由度が高い吸収性物品を提供すること。【解決手段】吸収性本体１０と、吸収性本体１０の長手方向の両側部を覆う一対のサイド防漏部５，５と、吸収性本体１０の長手方向の側縁１０ａから外方に延出するウイング部６とからなる吸収性物品１であって、一対のサイド防漏部５、５は、サイド防漏部形成シート５１を主体として形成され、且つ少なくとも長手方向に伸縮性を有しており、ウイング部６は、非伸縮性のウイング部形成シート６１を主体として形成されており、サイド防漏部形成シート５１とウイング部形成シート６１とは、サイド防漏部形成シート５１の非肌当接面側及びウイング部形成シート６１の肌当接面側においてウイング接合部９を介して接合されている。【選択図】図３
2008055109.tif 000002
【特許請求の範囲】
【請求項１】
吸収層及び防漏層を具備し、実質的に縦長に形成されている吸収性本体と、該吸収性本体の長手方向の両側部を覆う一対のサイド防漏部と、該吸収性本体の長手方向の側縁から外方に延出するウイング部とからなる吸収性物品であって、
一対の前記サイド防漏部それぞれは、サイド防漏部形成シートを主体として形成され、且つ少なくとも長手方向に伸縮性を有しており、
前記ウイング部は、非伸縮性のウイング部形成シートを主体として形成されており、
前記サイド防漏部形成シートと前記ウイング部形成シートとは、該サイド防漏部形成シートの非肌当接面側及び該ウイング部形成シートの肌当接面側においてウイング接合部を介して接合されている吸収性物品。
【請求項２】
前記吸収性本体は、その長手方向の両端部において、前記サイド防漏部形成シートと前記吸収層の肌当接面を形成する表面シートとが接合されている請求項１記載の吸収性物品。
【請求項３】
前記サイド防漏部形成シートと前記防漏層の非肌当接面側を形成する裏面シートとは、前記吸収性本体の幅方向端部領域において長手方向に接合されている請求項１又は２に記載の吸収性物品。
【請求項４】
前記ウイング接合部は、前記サイド防漏部形成シートと前記裏面シートとの接合領域よりも外方に形成されて、前記サイド防漏部形成シートと前記ウイング部形成シートのみを接合している請求項３に記載の吸収性物品。
【請求項５】
前記接合領域は、前記ウイング部が存在する部位において、前記吸収性本体の幅方向内方に湾曲して形成されている請求項４記載の吸収性物品。
【発明の詳細な説明】
【技術分野】
【０００１】
本発明は、生理用ナプキン、パンティライナー、おりものシート、失禁パッド等の吸収性物品に関する。
【背景技術】
【０００２】
従来より、吸収層及び防漏層を具備し、実質的に縦長に形成されている吸収性本体と、該吸収性本体の長手方向の両側部を覆う一対のサイド防漏部と、該吸収性本体の長手方向の側縁から外方に延出するウイング部とからなる生理用ナプキンが知られている。サイド防漏部は、排泄された体液が吸収性本体の幅方向外方に漏れることを防止するものである。ウイング部は、ナプキンの使用の際にショーツ等の下着における股下部の縁部に沿って折り曲げられ、ずれ止め材を介して該下着の外表面に固定されるものである。
【０００３】
また、一枚の不織布からサイド防漏部とウイング部とが形成されている生理用ナプキンが知られている。例えば、特許文献１に記載の生理用ナプキンにおいては、一枚の伸縮性の不織布からサイド防漏部及びウイング部が形成されているとともに、ウイング部におけるその付け根部分をのぞく領域は、面状のヒートエンボス処理が施されてフィルム化され、非伸縮化されている。そのため、特許文献１に記載の生理用ナプキンにおいては、サイド防漏部は、伸縮性を有しているため容易に防漏壁を形成し、またウイング部は、その大部分が非伸縮性の領域となっているため下着に装着しやすいとともに、その付け根部分が伸縮性の領域となっているため、下着の股下部の縁部の湾曲形状に沿いやすいという利点がある。
【０００４】
【特許文献１】特開２００２−２７２７８６号公報
【発明の開示】
【発明が解決しようとする課題】
【０００５】
特許文献１に記載の生理用ナプキンにおいては、上述したように、ウイング部の一部にヒートエンボス処理を施すことにより、伸縮性の領域及び非伸縮性の領域を有するウイング部を形成している。そのため、ウイング部における伸縮性の領域及び非伸縮性の領域の物性（非伸縮性の程度、剛性の程度等）や位置等の自由度が低い。
【０００６】
従って、本発明の目的は、伸縮性を有するサイド防漏部と伸縮性の領域及び非伸縮性の領域を有するウイング部とを備えた吸収性物品において、ウイング部における伸縮性の領域及び非伸縮性の領域の物性や位置等の自由度が高い吸収性物品を提供することにある。
【課題を解決するための手段】
【０００７】
本発明は、吸収層及び防漏層を具備し、実質的に縦長に形成されている吸収性本体と、該吸収性本体の長手方向の両側部を覆う一対のサイド防漏部と、該吸収性本体の長手方向の側縁から外方に延出するウイング部とからなる吸収性物品であって、一対の前記サイド防漏部それぞれは、サイド防漏部形成シートを主体として形成され、且つ少なくとも長手方向に伸縮性を有しており、前記ウイング部は、非伸縮性のウイング部形成シートを主体として形成されており、前記サイド防漏部形成シートと前記ウイング部形成シートとは、該サイド防漏部形成シートの非肌当接面側及び該ウイング部形成シートの肌当接面側においてウイング接合部を介して接合されている吸収性物品を提供することにより、上記目的を達成したものである。
【発明の効果】
【０００８】
本発明の吸収性物品によれば、伸縮性を有するサイド防漏部と伸縮性の領域及び非伸縮性の領域を有するウイング部とを備えた吸収性物品において、ウイング部における伸縮性の領域及び非伸縮性の領域の物性や位置等の自由度が高い。
【発明を実施するための最良の形態】
【０００９】
以下、本発明の吸収性物品を、その好ましい実施形態である生理用ナプキンについて図面を参照しながら説明する。
本実施形態の生理用ナプキン（以下、ナプキン１ともいう）は、図１〜図３に示すように、液保持性の吸収層１１及び液不透過性の防漏層１２を具備し、実質的に縦長に形成されている吸収性本体１０と、該吸収性本体１０の長手方向の両側部を覆う一対のサイド防漏部５，５と、該吸収性本体１０の長手方向の側縁１０ａから幅方向外方に延出するウイング部６とからなる。
【００１０】
また、本実施形態のナプキン１においては、一対の前記サイド防漏部５，５それぞれは、サイド防漏部形成シート５１を主体として形成され、且つ少なくとも長手方向に伸縮性を有している。前記ウイング部６は、非伸縮性のウイング部形成シート６１を主体として形成されている。前記サイド防漏部形成シート５１と前記ウイング部形成シート６１とは、図３に示すように、サイド防漏部形成シート５１の非肌当接面側及びウイング部形成シート６１の肌当接面側においてウイング接合部９を介して接合されている。
【００１１】
本実施形態のナプキン１について、更に説明すると、前記吸収層１１は、図３に示すように、液透過性の表面シート２と液保持性の吸収体４とから形成されており、前記防漏層１２は、液不透過性又は液難透過性の裏面シート３から形成されている。即ち、前記吸収性本体１０は、図３に示すように、表面シート２、裏面シート３及び両シート間に介在された吸収体４から構成されている。尚、図３には、ナプキン１の幅方向における一方の側のみを示しているが、他方の側も同様に対称的に形成されている。
【００１２】
前記吸収体４は、縦長矩形形状をしており、その長手方向が吸収性本体１０の長手方向と一致している。吸収体４の幅方向中央領域の肌当接面側の面は、図３に示すように、表面シート２により覆われている。図３に示すように、表面シート２は、吸収体４における肌当接面側の面の全域を被覆して、吸収体４の周縁から若干外方に延出している。裏面シート３は、吸収体４の非肌当接面側の面の全域を被覆して、吸収体４の周縁から外方に延出している。吸収体４から延出している表面シート２及び裏面シート３の周縁部は、図２及び図３に示すように、接合領域８（詳細は後述）により、周状に接合されている。
【００１３】
次に、一対の前記サイド防漏部５，５について説明する。
一対の前記サイド防漏部５、５それぞれは、図２及び図３に示すように、前記吸収性本体１０の長手方向の両側部（長手方向に沿う両側部）をそれぞれ覆っている。
一対の前記サイド防漏部５，５それぞれは、伸縮性を有する前記サイド防漏部形成シート５１を主体として形成されている。
【００１４】
前記サイド防漏部形成シート５１は、図３に示すように、前記吸収性本体１０の前記側縁１０aから、本体幅方向（吸収性本体１０の幅方向）の内方に向かって延び、折り返し自由端５４が形成されるように、上方に向かって本体幅方向の外方に折り返された後、本体幅方向の外方に向かって延びて、２層構造となっている。前記折り返し自由端５４は、図２に示すように、吸収性本体１０の長手方向の両端部間に亘って直線状に形成されている。
また、一対の前記サイド防漏部５、５は、図２に示すように、それらの幅方向内側縁部が吸収性本体１０の長手方向の両端部において、前記固定部７、７によりそれぞれ前記表面シート２に接合されている。
【００１５】
前記固定部７、７は、図２に示すように、前記吸収性本体１０の長手方向に帯状に設けられている。固定部７、７の長さは、吸収性本体１０の長手方向端部からそれぞれ１０〜１００ｍｍ、特に３０〜７０ｍｍであることが好ましく、固定部７，７の幅は、それぞれ３〜７ｍｍであることが好ましい。固定部７は、例えば柔軟性と固定性を考慮して格子模様や斜線の入ったヒートシールからなる。
【００１６】
前記サイド防漏部形成シート５１の２層構造における下層５３の外端縁５３ａは、図３に示すように、吸収性本体１０における長手方向に沿う側縁１０ａと略揃っている。また、２層構造における上層５２の外端縁５２ａは、図２及び図３に示すように、吸収性本体１０における長手方向に沿う側縁１０ａよりも、本体幅方向の外方に位置している。即ち、２層構造における上層５２は、吸収性本体１０の幅方向外方に延出し、前記ウイング部６の一部を形成している。
【００１７】
前記サイド防漏部形成シート５１は、図３に示すように、前記吸収性本体１０の幅方向端部の接合領域８において、それぞれ前記表面シート２を介して前記裏面シート３と長手方向に接合されている。接合領域８は、例えばヒートシールからなる。
前記接合領域８は、図２に示すように、前記吸収性本体１０の周縁部の全周に亘っている。また、接合領域８の形状は、それらと連接している一対の前記ウイング部６、６が、下着の股下部の縁部に沿って折り曲げられたときに、該下着の股下部の縁部とフィットしやすいように、ウイング部６が存在する部位において、吸収性本体１０の幅方向内方に湾曲した形状を有している。「ウイング部６が存在する部位」とは、接合領域８において、本体幅方向にウイング部６が存在する部位のことである。
前記ウイング部６、６が存在する部位における前記接合領域８の幅は、平面視（図２参照）において、１〜５ｍｍであることが好ましい。
【００１８】
前記サイド防漏部形成シート５１は、弾性を有する伸縮性シートから形成されており、図１に示すように、その収縮力によって自然状態において、前記折り返し自由端５４それぞれが、長手方向における前記固定部７、７、間に亘って表面シート２の肌当接面から離間している。ここで、自然状態とは、ナプキン１に重力以外の外力が働いていない状態のことをいう。
また、自然状態におけるナプキン１は、一対の前記サイド防漏部５、５の収縮力によって、図１に示すように、長手方向において、ナプキン１の肌当接面に向けて湾曲している。前記収縮力は、前記固定部７，７において主として生じている。
【００１９】
前記伸縮性シートの伸縮性は、手で引っ張る程度の引っ張り力で伸張し、その引っ張り力がなくなると収縮して元の状態に戻ろうとする性質である。該伸縮性は、手で軽く引っ張る程度の引っ張り力を加えた程度では、その引張り力の消失によりほぼ元の状態に戻る程度の弾性を有することが好ましい。
【００２０】
次に、一対の前記ウイング部６，６について更に説明する。
一対の前記ウイング部６，６は、図１及び図２に示すように、前記吸収性本体１０の長手方向中央部に配されており、吸収性本体１０の長手方向の側縁１０aから本体幅方向の外方に延出している。一対のウイング部６，６それぞれは、非伸縮性の前記ウイング部形成シート６１を主体として形成されており、ウイング部形成シート６１が前記サイド防漏部形成シート５１の長手方向中央部に接合されて形成されている。
【００２１】
一対の前記ウイング部６，６それぞれは、図３に示すように、外側部分６２及び根元部分６３からなる。図３に示すように、該外側部分６２は、前記ウイング部形成シート６１のみから形成されていいる。該根元部分６３は、前記ウイング部形成シート６１と前記サイド防漏部形成シート５１とが接合されて２層構造に形成されている。ウイング部形成シート６１の肌当接面側とサイド防漏部形成シート５１の上層５２の非肌当接面側とが前記ウイング接合部９を介して接合されている。ウイング接合部９は、例えばホットメルト接着剤からなる。
【００２２】
また、前記ウイング部形成シート６１と前記サイド防漏部形成シート５１とは、図３に示すように、前記吸収性本体１０の長手方向の側縁１０ａよりも本体幅方向の内側に位置する内方部６４においても、前記ウイング接合部９を介して接合されている。
このように、前記ウイング接合部９は、前記根元部分６３及び前記内方部６４に亘って設けられている。換言すると、ウイング接合部９は、前記ウイング部６と前記サイド防漏部５との境界、即ち根元部分６３と内方部６４の境界を跨いでサイド防漏部形成シート５１に接合されている。ウイング接合部９の肌当接面側は、サイド防漏部形成シート５１の２層構造における上層５２に覆われている。
【００２３】
前記ウイング接合部９は、図３に示すように、前記接合領域８に対して前記吸収性本体１０における幅方向外方に位置している。また、ウイング接合部９において、前記裏面シート３と前記ウイング部形成シート６１とは接合されていない。このように、ウイング接合部９がサイド防漏部形成シート５１とウイング部形成シート６１とのみを接合しているため、前記ウイング部６が折り曲げやすく、ナプキン１の装着性に優れる。
【００２４】
また、前記ウイング接合部９の肌当接面側は、ナプキン着用中に着用者の脚部と接し、肌と擦れ合う部位である。従って、ウイング接合部９を形成する前記サイド防漏部形成シート５１が伸縮性を有することにより、下着の股部の湾曲形状に沿い易く、ナプキン１のよれ、ズレを防止することができる。さらに、接合領域８が、ウイング部６が存在する部位において吸収性本体の幅方向内方に湾曲して形成されている結果、図３に示すように、接合領域８とウイング接合部９が幅方向に離間しているため、サイド防漏部形成シート５１の伸縮特性によっても下着の湾曲に沿い易くされている。
【００２５】
前記ウイング部形成シート６１の非肌当接面側と、前記サイド防漏部形成シート５１の２層構造における下層５３の肌当接面側とは、ホットメルト接着剤等（図示せず）により接合されていることが好ましい。
【００２６】
前記ウイング部６における前記根元部分６３の幅は、好ましくは２〜７ｍｍ、更に好ましくは３〜５ｍｍである。
また、前記根元部分６３の面積がウイング部６全体の面積に占める割合は、平面視（図２参照）において、好ましくは５〜３０％、更に好ましくは１０〜２０％である。
なお、前記ウイング接合部９の幅は、好ましくは３〜１０ｍｍ、更に好ましくは５〜８ｍｍである。
【００２７】
本実施形態のナプキン１は、ウイング部６の非肌当接面側の面に、従来のウイング部付きのナプキンと同様にずれ止め材（図示省略）を有しており、該ずれ止め材を介してショーツ等の下着の股下部に固定して用いられる。ずれ止め材に代えて他の止着手段（機械的面ファスナー等）を用いることもできる。
【００２８】
以下に、本実施形態のナプキン１を構成する部材について説明する。
まず、前記サイド防漏部５を形成する前記サイド防漏部形成シート５１としては、肌触りや柔軟性等の観点から、伸縮性の不織布が好ましく用いられる。また、サイド防漏部形成シート５１は、防漏性の観点から撥水性を有していることが好ましい。伸縮性の不織布としては、３次元的に捲縮した繊維を含有し、該繊維の絡み合いにより伸縮性を示す不織布や、天然ゴム、合成ゴム、スパンデックス等のエラストマー材料により伸縮性を示す不織布等を好ましく用いることができる。
【００２９】
３次元的に捲縮した繊維により伸縮性を示す不織布の好ましい例としては、３次元的に捲縮した捲縮繊維を含む第１繊維層と、３次元的に捲縮した捲縮繊維を含まないか又は３次元的に捲縮した捲縮繊維を第１繊維層中よりも低い含有率で含む第２繊維層とからなり、第１繊維層と第２繊維層とが部分的に熱融着されて一体化された伸縮性の積層不織布を挙げることができる。
この積層不織布は、例えば、構成成分の熱収縮により捲縮を発現する潜在捲縮性繊維を含む第１繊維層形成材と、前記潜在捲縮性繊維の収縮開始温度以下では熱収縮しない繊維を含む第２繊維層形成材とを互いに積層した状態で、両者を熱又は超音波エンボス等により部分的に熱融着して、多数の熱融着部が分散状態に形成された中間体を製造した後、該中間体に熱処理を施して、第１繊維層形成材を熱収縮させて得ることができ、第２繊維層側には、独立した多数の又は連続した多数の凸部を有する。
【００３０】
積層不織布は、第２繊維層側を肌当接面側にして用いる。潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維は、例えば収縮率の異なる２種類の熱可塑性ポリマー材料を成分とする偏心芯鞘型複合繊維又はサイド・バイ・サイド型複合繊維からなる。熱可塑性ポリマー材料としては、ポリエチレンやポリプロピレン等のポリオレフィン、ポリエチレンテレフタレート等のポリエステル、ポリアミド等が挙げられる。このような構成の積層不織布としては、例えば特開２００２−１８７２２８号公報又は特開２００３−２７５２３９号公報の明細書に記載のものを用いることができる。
【００３１】
エラストマー材料により伸縮性を示す不織布としては、エラストマー材料からなるシートの片面又は両面に伸縮性を有する繊維集合体（不織布や繊維ウエブ）を積層して一体化してなる伸縮性の複合不織布等を用いることもできる。エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。前記繊維集合体としては、熱可塑性ポリウレタン繊維、高捲縮性のポリエチレン繊維、高捲縮性のポリエステル繊維等を用いることができる。エラストマー材料からなるシートに繊維集合体を固定する方法としては、シートに繊維集合体を熱融着により固定する方法等が挙げられる。
【００３２】
前記サイド防漏部５の前記折り返し自由端５４が、尖った折り目とならないためには、前記サイド防漏部形成シート５１はある程度の嵩高さを有していることが好ましい。具体的には、サイド防漏部形成シート５１の坪量は、好ましくは５〜４０ｇ／ｍ2、更に好ましくは１０〜２５ｇ／ｍ2である。
【００３３】
また、前記ウイング部６を形成する前記ウイング部形成シート６１としては、非伸縮性のシート材が用いられる。ここで、非伸縮性のシート材における「非伸縮性」とは、手で引っ張る程度ではほとんど伸長しないか又は伸長しても僅かにしか伸長しない性質である。「非伸縮性」のシートは、２５ｍｍ幅あたりの引張荷重が１．０Ｎとなるまで長手方向に伸長させたときの伸長率（１．０Ｎ／２５ｍｍ時点の伸長率）が１２０％以下であるものが好ましく、１１０％以下であるものが更に好ましい。非伸縮性のシートの素材としては、例えば、不織布、不織布と樹脂フィルムとの積層材、多孔性フィルムが挙げられる。
【００３４】
また、前記表面シート２、前記裏面シート３、前記吸収体４又は前記ずれ止め材としては、従来の吸収性物品等において用いられている各種材料を特に制限なく用いることができる。例えば、表面シート２は、各種製法による不織布又は樹脂フィルムを開孔して液透過性としたものでもよい。
【００３５】
上述の如く構成されている本実施形態の生理用ナプキン１によれば、以下の効果が奏される。
本実施形態の生理用ナプキン１においては、前記サイド防漏部５が伸縮性を有する前記サイド防漏部形成シート５１を主体として形成され、前記ウイング部６が非伸縮性の前記ウイング部形成シート６１を主体として形成されており、サイド防漏部５とウイング部６とを、別部材（別のシート）を用いて形成することができる。そのため、ウイング部６における伸縮性の領域及び非伸縮性の領域の物性や位置等の自由度が高い。
また、上記の如く、サイド防漏部５は伸縮性を有するサイド防漏部形成シート５１を主体として形成されているため、サイド防漏部５が前記折り返し自由端５４において起立し、防漏壁を形成し易い。
【００３６】
また、上記の如く、ウイング部６は非伸縮性のウイング部形成シート６１を主体として形成されているため、ウイング部６が持ち易く、下着の外面に装着しやすいとともに、ウイング部のずれ止め材が下着に安定して固定されるため、吸収性物品のよれ、ズレを防止できる。
更に、伸縮性を有するサイド防漏部形成シート５１がウイング部６の一部を形成しているため、下着の股下部の湾曲形状に沿いやすい。
【００３７】
尚、本発明の吸収性物品は、上記の実施形態に制限されず、本発明の趣旨を逸脱しない限り種々の変更が可能である。
例えば、上記サイド防漏部形成シート５１は、前記実施形態では伸縮性のシートが用いられているが、必ずしも伸縮性を有するシートから形成されていなくてもよい。即ち、非伸縮性シートに弾性部材を取り付けることにより、サイド防漏部５全体として少なくとも吸収性本体１０の長手方向に伸縮性を有するようにすればよい。
【００３８】
また、サイド防漏部形成シート５１は、折り返されて２層構造となっているが、折り返されずに１層構造となっていてもよい。
また、表面シート２は、接合領域８においてサイド防漏部形成シート５１及び裏面シート３と接合されていなくてもよい。その場合、吸収体４の側縁から若干延出していてもよい。
また、ウイング接合部９は、必ずしもウイング部６とサイド防漏部５との境界、即ち根元部分６３と内方部６４の境界を跨いでサイド防漏部形成シート５１に接合されている必要はなく、少なくともウイング部６の根元部分６３においてサイド防漏部形成シート５１に接合されていればよい。
【００３９】
本発明の実施形態の吸収性物品は、生理用ナプキンであるが、生理用ナプキンに限らずパンティライナー、失禁パッド等であってもよい。
【図面の簡単な説明】
【００４０】
【図１】図１は、本発明の好ましい一実施形態の吸収性物品である生理用ナプキンを示す斜視図である。
【図２】図２は、図１に示す生理用ナプキンの平面図である。
【図３】図３は、図２におけるＸ−Ｘ線拡大断面図である。
【符号の説明】
【００４１】
１    生理用ナプキン（吸収性物品）
１０  吸収性本体
１１  吸収層
１２  防漏層
２    表面シート
３    裏面シート
４    吸収体
５    サイド防漏部
５１  サイド防漏部形成シート
５２  ２層構造における上層
５３  ２層構造における下層
５４  折り返し自由端
６    ウイング部
６１  ウイング部形成シート
６２  外側部分
６３  根元部分
６４  内方部
７    固定部
８    接合領域
９    ウイング接合部
【図１】
2008055109.tif 000003
【図２】
2008055109.tif 000004
【図３】
2008055109.tif 000005